(57)【要約】変質した原材料に非定型的なエネルギー効果を与えるために、原材料（例えば、金属およびセラミックス）の生物学的活性、化学的活性および分子活性を変質させる方法および装置が提供されている。このような原材料は、多数の供給源からのエネルギーの振動数を変えることにより衝撃が加えられ、分子レベルにおいて、この原材料の振動性励起が起こり、これは、そのように処理する材料の分子特性を変える。次いで、この原材料は、それに近接させた二次材料の生物活性、化学活性および分子活性を変えるのに有効である。本発明は、水精製器具を製造する方法および装置、ならびに水を精製する方法および装置を示す。【特許請求の範囲】
【請求項１】
物質を処理する方法であって、該方法は、以下の工程を包含する：
加工材を供給する工程；
少なくとも１個の放射線源を使用して、該材料を照射し、該材料の原子立体配置を変える工程；および
その後、処理する該物質を、該加工材に晒されるように、該加工材に近接して設置する工程。
【請求項２】
前記加工材を供給する工程が、該加工材がセラミックビーズを含有する点で、さらに規定される、請求項１に記載の方法。
【請求項３】
前記放射線源の照射中にて、前記加工材を振動するさらなる工程を包含する、請求項１に記載の方法。
【請求項４】
前記少なくとも１個の放射線源を使用する工程が、レーザー放射線源および遠赤外放射線源の両方を使用して前記加工材を照射する点で、さらに規定される、請求項１に記載の方法。
【請求項５】
さらに、前記加工材を照射する前に、該加工材の温度を上昇させる工程を包含する、請求項１に記載の方法。
【請求項６】
さらに、前記加工材の照射中にて、該加工材の磁場に晒す工程を包含する、請求項１に記載の方法。
【請求項７】
前記加工材を供給する工程が、該加工材がセラミック材料を含む点で、さらに規定される、請求項１に記載の方法。
【請求項８】
前記少なくとも１個の放射線源を使用する工程が、レーザーを使用する工程を包含し、該レーザーが、１０．６μｍおよび９．６μｍで照射するように適合されたＣＯ２レーザーを含む、請求項１に記載の方法。
【請求項９】
前記少なくとも１個の放射線源を使用する工程が、レーザーを使用する工程を包含し、該レーザーが、５〜６．２μｍで照射するように適合されたＣＯレーザーを含む、請求項１に記載の方法。
【請求項１０】
前記少なくとも１個の放射線源を使用する工程が、レーザーを使用する工程を包含し、該レーザーが、１μｍで照射するように適合されたＹＡＧ．Ｎｄ．ｓｕｐ．＋３固相レーザーを含む、請求項１に記載の方法。
【請求項１１】
前記少なくとも１個の放射線源を使用する工程が、レーザーを使用する工程を包含し、該レーザーが、レーザー光線を放射し、該レーザー光線が、前記加工材の表面にわたって掃引される、請求項１に記載の方法。
【請求項１２】
前記少なくとも１個の放射線源を使用する工程が、また、遠赤外線源を使用する工程を包含する、請求項１１に記載の方法。
【請求項１３】
前記物質が、流体を含有し、そして前記加工材が、固体を含有し、該物質を該加工材に近接して設置する工程が、該物質が該加工材上を流れてそれにより処理される点で、さらに規定される、請求項１に記載の方法。
【請求項１４】
前記物質が、水を含有し、そして前記加工材が、ペレットを含有し、該ペレットが、遠赤外線を放射して、該物質から不純物を除去する、請求項１３に記載の方法。
【請求項１５】
加工材を使用して物質を処理するシステムであって、該システムは、以下の部分を含む：
第一装置であって、該第一装置は、加工材の原子構造を変え、そして放射線源を含み、該放射線源は、該加工材を照射して、分子的に変質された加工材を作り出す；および
第二装置であって、該第二装置は、該物質の供給源に近接して、変質した加工材を保持し、ここで、該物質は、該加工材からエネルギーを受容する、
システム。
【請求項１６】
前記第一装置が、レーザーを含み、該レーザーが、前記加工材の表面上に照射するように配置されている、請求項１５に記載のシステム。
【請求項１７】
前記第一装置が、支持面および振動駆動装置を含み、該支持面が、前記加工材を支持し、そして該振動駆動装置が、照射中に該加工材を振動するように、該支持面に連結されている、請求項１５に記載のシステム。
【請求項１８】
前記第一装置が、ヒーターを含み、該ヒーターが、照射前に、前記加工材の温度を上昇させる、請求項１５に記載のシステム。
【請求項１９】
前記物質が、流体を含有し、そして前記加工材が、少なくとも１個の固形物を含有し、そして前記第二装置が、ハウジングを含み、該ハウジングが、該固形物に近接して、該流体を含有する、請求項１５に記載のシステム。
【請求項２０】
前記加工材が、複数のペレットを含み、該ペレットが、前記ハウジングに含有され、そして前記流体が、該ハウジングに導かれて、該ペレットに浸透する、請求項１９に記載のシステム。
【請求項２１】
前記加工材が、複数の円板形状要素を含み、そして前記流体が、前記要素上を流れる、請求項１９に記載のシステム。
【請求項２２】
メッシュ容器を含み、ここで、前記円板形状要素の少なくとも１枚が、該メッシュ容器内に保持された複数のペレットを含む、請求項２１に記載のシステム。
【請求項２３】
加工材を処理する方法であって、該方法は、以下の工程を包含する：
加工材を供給する工程；
該加工材に遠赤外線を照射する工程；および
該加工材を第二エネルギー源に晒す工程。
【請求項２４】
前記第二エネルギー源が、熱を含む、請求項２３に記載の方法。
【請求項２５】
前記加工材を真空に晒すさらなる工程を包含する、請求項２３に記載の方法。
【請求項２６】
前記加工材を振動に晒すさらなる工程を包含する、請求項２３に記載の方法。
【請求項２７】
前記第二エネルギー源が、レーザー放射線を含む、請求項２３に記載の方法。
【請求項２８】
前記第二エネルギー源が、電気エネルギーを含む、請求項２３に記載の方法。
【請求項２９】
加工材を処理する方法であって、該方法は、以下の工程を包含する：
加工材を供給する工程；
該加工材を電位差に晒す工程；および
該加工材を第二エネルギー源に晒す工程。
【請求項３０】
前記第二エネルギー源が、振動エネルギーを含む、請求項２９に記載の方法。
【請求項３１】
前記加工材を磁気エネルギーに晒すさらなる工程を包含する、請求項３０に記載の方法。
【請求項３２】
前記第二エネルギーが、磁気エネルギーを含む、請求項２９に記載の方法。
【発明の詳細な説明】
【背景技術】
【０００１】
（発明の背景）
宇宙の全ての物質は、粒子の形状をとることが知られている。原子は、軽量の粒子、すなわち、電子（これは、その原子の核の周りの軌道を周回している）と共に、その核内の重い粒子から構成されている。これらの粒子は、個別の分割できない単位であり、量子と呼ばれている。量子は、近接したとき、相互作用する。ちょうど、初期の科学理論により、光（これは、光子と呼ばれる個々の粒子から構成される）が波のような特性を示すように、原子もまた、連続的な様式ではなく不連続的な様式に、エネルギーを吸収し放射する現象を示す。それゆえ、所定物質の分子のエネルギー特性は、その物質の分子を形成する原子粒子、すなわち、量子の配列および相互作用に基づいている。
【０００２】
物質のエネルギー特性のこの説明は、量子論または量子力学として、知られている。その理論から、分子の構造または配列が変化すると、物質のエネルギー特性に影響を及ぼしそれを変え得ることが理解できる。また、電磁放射線に晒しても、物質の化学的特性および生物学的特性が変わり得ると仮定されている。
【発明の開示】
【課題を解決するための手段】
【０００３】
本発明者は、原材料（例えば、金属およびセラミックス）の非定型的なエネルギー属性を誘発するために、このような材料の分子構造の変化を引き起こす方法および装置を開発した。さらに、その分子構造が変えられた原材料は、変質された原材料に近接した二次物質に類似した分子変化を与えるのに使用できることが発見された。このような用法の一例には、水を処理し精製するために一次変質材料を使用することがある。
【０００４】
（発明の要旨）
変質した原材料に非定型的な性能およびエネルギー効果を与えるために、原材料（例えば、金属およびセラミックス）の生物学的活性、化学的活性および分子活性を変質させる方法および装置が提供されている。処理する原材料は、高速で振動され、次いで、振動数を変えて、エネルギー型を変えたアレイに晒される。分子の変化を引き起こす際に、電気エネルギー、磁気エネルギー、電磁エネルギーおよび熱エネルギーが使用され得、この原材料は、また、同様に、遠赤外範囲の光およびレーザー放射線にも晒され得る。このような暴露により、分子レベルにおいて、この原材料の振動性励起が起こり、その原材料の分子を形成する原子の電子の回転状態に変化を引き起こす。本発明の方法による暴露により引き起こされる分子変化は、そのように処理した原材料のエネルギー特性を変える。
【０００５】
次いで、この原材料は、それに近接させた二次材料の生物活性、化学活性および分子活性を変えるのに有効である。本発明の装置および方法を使用する一例には、水を精製する方法および装置において、処理した原材料を使用することがある。
【０００６】
これらの分子変化を誘発する装置は、高い出力を使用し、これは、材料の空間的特性および生物活性を決定する分子結合およびイオン結合が、その材料が前処理状態と比べて異なるエネルギー特性を帯びるような程度まで非可逆的に変化されるようなレベルまで、その材料を活性化するのに十分な強度で、処理した材料の振動状態および回転状態を励起する振動数を含む。
【０００７】
この装置は、高い出力を使用し、これは、原子の核を取り囲む量子殻から電子を取り除き、そして処理前に電子が原材料の軌道を周回していた量子核とは異なる量子殻にそれらを置き換えるために、その材料を活性化するのに十分な強度で、処理した材料の振動状態および回転状態を励起し得る振動数を含む。
【０００８】
本発明の方法および装置により分子的に変化される材料は、「分子的に変化される加工材」または単に「加工材」または「原材料」と呼ばれている。分子的に変化された加工材に晒すことにより分子的に変化される材料は、「分子的に変化される物質」または「二次材料」と呼ばれている。
【０００９】
本発明を使用して、原材料において分子変化を誘発することは、複雑で、エネルギー依存性で、時間のかかる方法である。しかしながら、一旦、他の材料で二次分子変化を誘発するために、分子的に変化されると、原材料の使用は、比較的に簡単な方法であり、それにより、気体、液体または固体は、原材料と密接に界面接触される。二次材料で分子変化を誘発する有効な操作原理は、原材料から発出している僅かな電磁エネルギー場の内部崩壊にある。
【００１０】
広義には、本発明は、変質された原子立体配置を有する空間特性に分子を再構築することに関する。変質された材料は、１つの量子殻から別のものへと電子を移すことに関して、変性されており、それにより、近接される他の材料に影響を及ぼすような様式で、その材料の分子構造、化学構造または生物学的構造を取消不可能に変える。
【００１１】
本明細書中で開示された本発明の方法および装置により分子的に変えることができる材料の一例には、遠赤外（ＦＩＲ）線放射材料がある。好ましくは、このような材料は、０．１〜１．５インチで直径を変えたセラミックビーズまたは球体、あるいは０．５〜２．５インチで幅を変えた小さな立方体または六角形、あるいは少なくとも１インチの厚さで３フィートまでの寸法または直径のプレートまたは円板を含む。
【００１２】
このセラミック材料は、コア材料から構成でき、これは、アルミナ水和物、シリカ水和物、アルミナ、シリカ、およびコア材料に付着したケイ酸塩から選択される１種以上の化合物の超微粉を有する。この材料は、それ自体、または他の物質と組み合わせて、そのように暴露する材料中の固体、液体または気体の分子の励起振動を引き起こすために、種々の物体に対して、遠赤外放射線を供給でき、それにより、一次分子変化および二次分子変化の両方の発生を助ける。
【００１３】
遠赤外照射材料は、例えば、地質学的に長い期間にわたって太陽エネルギーを吸収した天然石を微粉砕すること、４〜１４μｍの波長の遠赤外放射線を放射すること、ならびに少なくとも約２０％のＳｉ、約１５％のＡｌ、約１０％のＫおよび約５％のＦｅを含有させること、ならびにその材料を既に記述したような球体または他の幾何学的な形に形成することのような方法により、得ることができる。
【００１４】
その赤外線照射方法は、分子的に変化させる原材料の表面にレーザー光線を掃引することにより、達成される。もし、この光線を掃引することが、この原材料の表面を十分にカバーするには十分ではないと思われるなら、反射性が高い鏡または反射板表面が使用できるか、および／またはその試料が移動または回転できる。このようにして、その試料の全面がカバーできる。
【００１５】
この原材料の分子変化は、本発明で記述した条件下にて、本発明で記述したように、原材料に作用しているエネルギー成分の全ての相互作用により、発生する。しかしながら、この原材料では、本発明の別の成分の使用（例えば、単独で、または本発明で記述した他のエネルギー源と種々組み合わせてのいずれかで使用される、遠赤外放射線）により、異なる程度の分子変化が誘発できる。
【００１６】
本発明の方法および／または装置を使用して、一次分子変化が誘発された金属装置またはセラミック装置は、次いで、二次材料（例えば、水）で二次分子変化を作り出す分子変化誘発器具として、使用される。この原材料は、「再充電」されるように、種々の時間間隔で、本発明の分子変化誘発装置に再暴露されなければならない。
【００１７】
一次分子変化を再誘発することにより原材料を再充電するのに必要な時間間隔は、多くのパラメータに依存しており、これには、例えば、その材料で誘発された一次分子変化の初期程度、分子変化誘発器具として適用される活性、および分子変化誘発器具が使用されている時間の長さがある。これらの変数にもかかわらず、分子変化誘発器具は、少なくとも６ヶ月〜１２ヶ月の期間にわたって、それらの実行可能性を維持すると予想される。
【００１８】
原材料は、二次材料が本発明で作成または強化された原材料と近接されるという条件で、他の二次材料にて、二次分子変化を引き起こすことができる。この関係は、医学、工業および商業に関連した多数の分野において、非常に有益であり得る。
【００１９】
変質されていない二次材料（特に、液体および気体）に関して、原材料からのエネルギーのパルスは、未だに変質されていない二次材料と密接に接触され、二次材料の分子構造、化学構造または生物学的構造を変更するように二次材料に影響を与え、これは、二次分子変化を誘発する方法と呼ばれている。
【００２０】
二次材料または二次物質において変化を誘発するために、上記方法および装置を使用することにより分子的に変化される原材料の使用は、広い範囲の用途を有し得る。分子的に変化した原材料により照射されるエネルギーの使用の例には、植物または動物（ヒトを含めて）の生体処理装置での原材料または二次物質もしくは二次材料の使用、およびヘアードライヤーを含めた加熱装置や生きている組織を処理するランプ（例えば、サウナでの）での原材料または二次物質もしくは二次材料の使用が挙げられる。
【００２１】
エネルギーを照射するように変質される原材料の使用の具体的な例には、例えば、汚染した水を清浄にして飲用に適するようにするための、「分子精製」方法でのこのような材料の使用がある。これは、地下から引き上げられた汚染水を清浄にするという点で、工業レベルで実行され得、そして家庭レベルで使用する装置に関して、水道水から汚染物や異物イオンを除去して清浄にし得る。それはまた、薬品を加える（これは、現在、普通に行われている）必要なしにプールおよび温水浴槽で「清浄な」水を維持するのに使用できる。この技術は、他の多くの応用技術適用および有益な効果を有し、それにより、汚染物が除去され、材料はよりエネルギー性および反応性となり、生物（例えば、細菌、真菌および藻類）の発生が阻止または抑制される。
【００２２】
例えば、原材料から照射したエネルギーに晒すことにより処理される二次材料が水であるとき、水分子のクラスターは、解離される。それゆえ、このような水クラスター内に存在している不純物は、この原材料に水を晒すことにより、除去できる。これらの不純物は、この水から沈殿され、それにより、水は、精製される。例えば、亜硫酸ガス、塩酸ガス、炭酸ガスなど（これらは、水クラスターの内側に存在している）のような気体で汚染された水は、照射されたエネルギーがクラスターを開裂するので、照射エネルギーの適用により精製され、それにより、これらの気体は、そこから放出される。また、水が重金属（例えば、水銀、カドミウムなど）で汚染された場合、この放射線を適用すると、このような金属を含むクラスターが解離され、結果的に、これらの金属は沈殿する。この水は、単に、その水から沈殿物を除去することにより、精製される。
【００２３】
本発明の非常に多くの他の利点および特徴は、本発明の以下の発明の詳細な説明およびその実施形態、特許請求の範囲および添付の図面から容易に明らかとなる。
【００２４】
（好ましい実施形態の詳細な説明）
本発明は、多くの異なる形態の実施形態が可能（ｓｕｓｃｅｐｔｉｂｌｅ）であるものの、本開示は、本発明の原理の一例と考えるべきであり例示した特定の実施形態に本発明を限定するつもりはないという了解の下で、それらの特定の実施形態が図面で示され、本明細書中で詳細に記述されている。
【００２５】
図１は、代表的な実施形態の分子変化誘発装置２０を図示しており、これは、加工材、器具または装置、あるいはそこに導入する「原材料」２２で分子変化を誘発するのに使用される。
【００２６】
装置２０は、絶縁基部２４を含み、これは、測定すると、約４インチの厚さおよび６フィートの長さおよび４フィートの幅（これらに限定されない）となる。基部２８としては、固形電気絶縁材料の約４インチ厚の絶縁ブロックが使用され、これは、それを装着した絶縁基部２４と実質的に同じ寸法を有する。
【００２７】
基部２８には、少なくとも２インチの厚さのプレキシグラスチャンバ３４が固定されている。チャンバ３４の寸法は、約４フィートの長さ、２．５フィートの幅および１８インチの高さである。チャンバ３４は、真空下にあるときに完全性を維持するために、剛性支柱などで、その寸法に沿って強化する必要があり得る。チャンバ３４は、真空化できるように、気密シールを付けて組み立てられる。それは、試料アクセス用の取り外し可能上部３６を有し、これは、適当なガスケットおよび閉合手段（例えば、つまみネジ（図示せず））を使用して、気密シールを備えたチャンバ３４の本体に固着されている。
【００２８】
チャンバ３４の中心には、適当なクランプ（図示せず）を備えた絶縁試料テーブル４４が収容されている。試料テーブル４４は、この装置の基部２８で使用されたものと同じ絶縁材料から組み立てられ、そして約３０インチの長さ、１８インチの幅である。試料テーブル４４は、チャンバ３４を通る軸またはシャフト５０に取り付けられ、そして原材料試料２２がエネルギー衝撃下にて高速で振動できるように、振動モーター５２に接続されている。軸５０がチャンバ３４を通る場合、真空気密を保証するために、十分なシールを設けなければならない。
【００２９】
チャンバ３４に隣接して、出力発生アセンブリ５３が位置しており、これは、本発明の出力要件を生じるのに必要な部品を収容する大きさである。あるいは、この出力発生アセンブリは、その試料に必要な出力を発生させ送達できる大きな高出力設備を収容しなければならないので、隣接した別のハウジングまたはルームに収容され得る。このチャンバに供給物を運ぶ全ての出力リード線は、出力発生アセンブリ５３上の対応するプレート５５ｂから、適当なコネクタ（例えば、ＬｅｍｏまたはＲｅｄｄｅｌコネクタ）を使用して、このチャンバの壁に位置しているコネクタプレート５５ａの外面に接続される。出力は、その外面で使用したものと類似のコネクタを使用して、コネクタプレート５５ａの内面に装着されたコネクタ／リード線５４を経由して、試料テーブル４４へと、このチャンバに運ばれる。このチャンバの内側の出力ケーブル５７は、発生した電気エネルギーを、処理を受ける原材料に直接加えるために、この試料テーブル上の試料に装着する導電性クランプ５８で終わっている。出力発生アセンブリ５３は、このチャンバ内で強力な電磁場を生じることができなければならない。
【００３０】
電磁石６２を使って、高い背景磁場（例えば、１２，０００ガラスおよびそれ以上）および少なくとも１３００キロガウス／センチ程度の高い磁場勾配が使用される。電磁石６２の適当なアレイは、この背景磁場を発生する試料テーブル４４を取り囲むチャンバ３４内に設置されている。電磁石６２には、通常のケーブル６１を使用することによって、この出力発生アセンブリから、電気エネルギーが供給される。高強度の遠赤外（ＦＩＲ）光場は、ＦＩＲ放射器６３で供給されるが、試料テーブル４４がＦＩＲ衝撃下にくるように、このチャンバを取り囲んで配置される。このＦＩＲ出力波長は、４〜２０μｍの理想的な範囲内にあるが、４〜１０００μｍのさらに広い範囲が受容可能である。
【００３１】
レーザー照射は、もし必要なら、光導体６０に旋回的に装着された１枚以上の鏡または高反射板（図示せず）により、反射されるように、この光導体に向けられる。この光導体は、その軸に沿って移動できるか、その軸の周りで回転できる。使用される高エネルギー赤外レーザー放射線源は、１０．６μｍおよび９．６μｍで主に照射するように適合されたＣＯ２レーザー；または５〜６．２μｍの間の多くの振動数で照射するように適合されたＣＯレーザー；または約１μｍで照射するように適合されたＹＡＧ：Ｎｄ＋３固体レーザーであり得る。このレーザーで放射される放射線の振幅もまた制御でき、使用する特定のレーザーからの出力放射線振動数は、実質的に１つの決定した振動数を発生するように、変調され、そしてフィルターにかけられ得る。
【００３２】
本明細書中で開示された方法および装置を使用して処理を受けると、試料２２の温度は、０〜２００°Ｆの範囲内であるべきである。ある状況では、この方法を開始する前に、この試料を最初に冷却または凍結する必要があり得る。試料２２の温度をモニターするために、試料２２に装着するために、熱電対（図示せず）を供給するべきである。この熱電対の出力信号は、この処理中にて、試料２２の温度を記録するプリンタ／レコーダーに供給できる。この熱電対出力信号はまた、適切なダイアルゲージまたはＬＥＤ読み出しインターフェイスに供給でき、この処理工程中での試料２２の温度をモニターすることが可能となる。
【００３３】
この処理工程中にてＦＩＲ放射器６３を使用するとき、放射器６３により発生する熱エネルギーは、試料２２を所望温度まで加熱するのに十分であるべきである。試料２２の処理中にＦＩＲ放射器６３を使用しないとき、または補助熱エネルギー源として、試料２２の所望温度が維持されるのを保証するために、チャンバ３４内には、熱源６４が設けられ得る。
【００３４】
それぞれ、ケーブル５７、５９およびクランプ５８、６１を経由して、出力発生アセンブリ５３により、原材料２２に供給される電気エネルギーは、可変電圧を有し、これは、別々に制御され、このような電圧は、好ましくは、５〜１００Ｋボルトの範囲である。この電気エネルギーは、交互に、可変電流を有し得、これは、好ましくは、５ｍＡ〜５０Ｋアンペアの範囲で、別々に制御される。この電気エネルギーは、可変振動数を有し、これは、好ましくは、０．１Ｈｚ〜１００ＧＨｚの範囲で、別々に制御される。
【００３５】
試料２２への上記エネルギーの適用は、真空で行われるべきである。チャンバ３４内で真空を作り出すために、このチャンバ内での真空生成の際に使用される開／閉タップを有するコネクタ７０が供給される。チャンバ３４内では、コネクタ７０に、１×１０−４Ｔｏｒｒの真空を作り出すことができる適切な真空ポンプ７４（例えば、３ｈｐ段階ユニット）が接続される。
【００３６】
上記パラメータの全ては、別々に制御され、試料２２は、任意の段階で、指定した出力範囲で、上記のいずれかまたは全てに晒され得る。出力パラメータは、適切な手段（例えば、コンピューター、較正チャートまたはプリンタ）を使用して記録されるべきであり、そして通常のメーターおよび／またはＬＥＤ読み出し装置を使用することにより、この工程中にて、モニターされ得る。
【００３７】
本発明の例示的な１工程を実行するために、１０ポンドの質量を有する鋼鉄試料は、同時に、以下で示したスケジュールに従って、これらの出力にかけられる。これらの出力は、各時間セグメントの一部または全部の間に、一様に勾配を付けられる（ｒａｍｐ−ｕｐ）。使用できる代替金属は、アルミニウムおよびクロムコバルトである。
【００３８】
この試料は、一定出力として、遠赤外放射線（ＦＩＲ）で放射され、それにより、放射された放射線は、４〜１０００μｍの振動数範囲内で固定される。ＦＩＲ放射器は、この工程の開始時点で起動され、オンのままにされ、そしてこの工程の初めから終わりまで、一定のままである。この試料は、この工程の初めから終わりまで、約３０Ｈｚで一定の振動にかけられる。
【００３９】
この試料は、室温（約６５°Ｆ）から約２００°Ｆの温度まで加熱される。
【００４０】
この試料は、この工程の１時間目、３時間目および５時間目の間に、１×１０−４Ｔｏｒｒまでの真空環境にかけられ、各時点は、６０分間持続する。
【００４１】
この試料は、電気エネルギーで充電され、その電圧および電流は、以下の適切な表で示したスケジュールに従って、勾配を付けられる。この手順は、１５時間にわたって行われる。その振動数および対応する磁気エネルギーの勾配もまた、この表に含まれる。
【００４２】
高エネルギー赤外レーザー放射に関して、この工程は、その工程の２時間目、４時間目、６時間目および８時間目に導入され、各放射期間は、指定した振動数範囲を使用して、６０分間継続される。
【００４３】
上記出力スケジュールは、特定の試料の分子変化を誘導する１つの手法として行うことができるのに対して、他の状況では、個々の出力は、本明細書中で指定していない他のスケジュールに従って、変えられ得る。
【００４４】
【表１】
2005508241.tif 000002
一旦、上記のように、エネルギー衝撃を加えて、原材料２２の分子構造の変化を誘発すると、原材料２２は、装置２０から取り出され得、第二物質の分子変化を誘発する器具または装置として、使用できる。一例として、水「回春（ｒｅｊｕｖｅｎａｔｉｏｎ）」工程、およびその工程に着手する装置が記述されている。分子変化により、フィルター、蒸留工程または処理トレインに水を通してもたらされる水における純度と同程度かそれより高い純度が達成できるだけでなく、分子的に変化された原材料をこのように使用すると、任意の他の工程で得ることができないエネルギー効果もまた生じる。
【００４５】
宇宙の全ての物質は、粒子の形状をとることが知られている。原子は、より軽い電子（これは、個別の量子殻の外側の周りの軌道を周回している）と共に、その核内の重い粒子から構成されている。これらの粒子は、個別の分割できない単位、すなわち、量子である。これらの粒子は、深く掘り下げて研究され続けているものの、正確には測定できず、それらが何をするかを予測することは、不可能である。時には、それらは、粒子のように挙動し、時には、波のように挙動する。しかしながら、粒子は、近接したとき、相互作用することが証明されている。これは、本発明に従って、この原材料により誘発される二次分子変化の基礎である。ある物質または「二次処理装置」において二次分子変化を誘発する装置の作動原理は、処理する二次材料を、分子的に変化した原材料に近接させることにある。分子変化に供された原材料から発出している僅かな電磁エネルギー場の内破は、二次材料において、分子変化を引き起こす。
【００４６】
二次材料において分子変化をもたらすために、分子的に変化させた原材料を使用することは、このような使用の一例を参照して、最も良く記述できる。例えば、本発明の方法および装置を使用することにより分子的に変化された原材料の使用は、水における分子変化を誘発するのに使用されている。この例では、この分子変化は、一連のバッフルを含む材料のチューブ（これは、分子変化誘発フィルターまたはチューブと呼ばれている）に水を通すことにより、もたらされる。このチューブは、その全体で、この方法に従って、かつ上記装置を使用することにより、あらかじめ、一次分子変化にかけられている。この分子変化誘発フィルターに通される水は、その構造的な組成の変化を受けるが、これは、水の精製を目的とした従来の方法によっては、もたらすことができない。この方法で使用される分子変化フィルターの寸法には、限度がないだけでなく、このチューブに通される水の流速、水の容量にも、いかなる限度も存在しない。
【００４７】
この装置それ自体は、電気も磁気も使用しない。分子レベルで変化した材料は、それらの界面が近接しているという条件で、それと接触される他の材料（例えば、水）を分子的に変化する。分子的に変化したチューブ内に生じるエネルギー場は、水と相互作用して、その水の物理的特性およびエネルギー特性の再構成を引き起こす。このようにして、分子的に変化したチューブと接触する水は、振動励起によって、分子レベルで反応性となり、これは、次に、その分子の核の周りの量子殻に影響を与える。このシフトは、極端に高いレベルのエネルギーを発生し、これは、その分子変化現象の開始因子となる。
【００４８】
従って、この工程により、高いエネルギーが作り出されるか、自然エネルギーを分子レベルで集中させ、それを、チューブを通って流れる水分子に伝達し、その結果、エネルギーを与えた「健康（ｈｅａｌｔｈｙ）」でより「活発な（ａｌｉｖｅ）」水が得られる。分子的に変化した水は、その表面張力の低下を示し、通常の水道水または種々の型の濾過または蒸留装置で処理された水のいずれとも異なる味である。分子的に処理された水はまた、病原性の細菌、真菌および藻類の生育および生存に適さない環境を与える。処理した水は、この分子変化工程により化学的な毒素および重金属の負の振動が取り除かれるので、通常の汚染物を含まないままである。
【００４９】
所定の例の水処理工程の最終結果は、水が原始状態（すなわち、数百万年前に理論的に存在していた状態）を回復するように好ましい様式で活性化されることである。それゆえ、この水の振動エネルギー組成は、通常の合成精製方法を使用してはこれまで得られなかった、より自然な状態に調和し、そしてこの状態に回復される。
【００５０】
分子変化した水は、山の泉から得られる未変質水と多くの点で類似した原始状態に回復される好ましい様式で、活性化される。それゆえ、この水の振動エネルギー組成は、任意の通常の合成精製方法では従来得られなかったより自然な状態と調和し、そしてこの状態に回復される。
【００５１】
以下は、２つの簡単な類推であり、これは、本発明の方法および装置を使用して分子的に変化した原材料を使用することにより、そして二次材料（例えば、水）の分子変化をもたらす分子的に変化した原材料の使用例を特に参照することにより得られる分子変化現象を説明し描出するのを助ける。
【００５２】
このような類推の１つは、二次分子変化誘発装置（例えば、赤色染料を含む装置）を想像することにある。このような装置を水の容器中に吊すとき、その染料装置と接触する水は、その染料で赤色に染色される。これは、最初に、この染料容器を直接取り囲む水において、見られる。しかしながら、時間の経過と共に、この染料は、全ての水が均一な赤色に一様に染色されるまで、この水全体に広がる。水を攪拌すると、または水を染料含有装置に流すと、この装置と接触する水の量が増加するという点で、その水が均一に着色するのに必要な時間が短くなる。この染料含有装置と接触している水が赤色に染色されるとすぐに、分子変化した原材料と接触する水は、それ自体、時間の経過と共に、この分子変化原材料を設置したレザバ内の全ての水が処理されるまで、分子的に変質される。このような変化をもたらすのに必要な時間は、その水を攪拌することにより、または水を原材料に通すことにより、短くできる。
【００５３】
この分子変化工程はまた、ある程度まで、振動している音叉の効果と比較できる。振動している音叉を定置音叉に近接して設置すると、振動している音叉からの振動は、空気を通り、先の定置音叉を同じように共鳴させる。これは、振動している音叉を見ることおよび発出している音の両方により、検出される。近接して配置された他の定置音叉もまた、同じように影響され、類似の振動を開始する。この類推は、振動励起した物質に近接する物質により引き起こされる振動励起の原理を証明している。
【００５４】
図２および３は、二次分子変化誘発装置１００を図示しており、ここで、二次材料は、気体または液体である。本明細書中で開示した二次分子変化誘発装置および方法を使用して分子的に変化される二次物質１０１は、大きさを変えることができる貯蔵タンク１０２に収容される。このタンクは、任意の材料（例えば、金属またはプラスチック（例えば、架橋した中密度ポリエチレン））から構築され得る。貯蔵タンク１０２は、例えば、長さ６フィートおよび直径４フィートの寸法を有し得る。このような例では、このタンクの中心位置に、直径約１インチで長さが６フィートより長い垂直ロッド１０６（これは、適切な長さの鋼鉄または他の金属から構築した）が配置される。
【００５５】
ロッド１０６の基部は、タンク１０２の床部１１４の中心で、陥凹金属カップ１１０に嵌められ、カップ１１０は、このロッドの厚さよりも僅かに大きい直径を有し、ここで、それは、自由に回転できる。このロッドがそこを通ってタンクの上部に突出している穴は、水平棒１２０の中心に位置しており、この棒は、その上部リップで、このタンクの直径に広がっており、タンクの側面に確実に固定される。このタンクは、その内容物を覆う上部またはリップを有し得るか、有し得ない。このロッドの上部は、クランクハンドル１２６で終わり、これは、手か、モーターまたは他の電源装置か、いずれかにより、回転できる。クランクハンドル１２６は、このロッドと連続的であり得るか、溝付きスリーブ装置のような機構により、ロッドの上端に取り外し可能に装着できる。
【００５６】
このロッドには、種々のレベルで、多数の一次分子変化したプレートまたは円板１３２が装着され、このタンクに吊したままにされる。これらのプレートは、セラミック材料、固形金属、または金属メッシュのいずれかから組み立てられ、これは、一次分子変化した材料の粒子（例えば、セラミックの立方体または球体）を含有できる。プレート１３２は、円形、長方形またはロッド形状であり得、適当な機構（例えば、そのプレートの中心を通る穴、およびそれらをロッドの長さに沿って任意の間隔で確保するロッキング装置）により、この中心ロッドに装着される。
【００５７】
プレート１３２は、クランクハンドル１２６を移動させることにより回転させたとき、それを取り囲む二次材料１０１が円方向で移動するように、これらのプレートの外面に装着された１枚以上のパドルまたはベーン１６０を有し得る。この運動は、この分子変化円板に二次材料をさらに接触させることにより、そして分子変化した二次材料（これは、その分子変化が進行し継続するにつれて、各プレートの全外面に隣接して、形成される）を粉砕することにより、二次材料を分子変化する工程を助ける。
【００５８】
この例でのプレート１３２の大きさは、直径４フィートおよび高さ６フィートの貯蔵タンク１０２内で使用するために、固形プレートには、直径３フィートで厚さ２インチ以上であり、また、分子変化した粒子を吊す金属メッシュ容器には、厚さ約６インチである。
【００５９】
この装置には、少なくとも１枚の一部分子変化円板１３２が使用され、これは、その中心ロッドに装着されているが、そのロッドの種々のレベルで装着された数枚の円板１３２が存在していそうである。例えば、１枚の分子変化円板は、このロッドの中心位置に設置され、これは、このタンクの上部から３フィートの深さであるのに対して、第二の一次分子変化プレートは、タンクの上部から深さ１８インチの位置で、この中心プレートとタンクの上部との間に装着される。第三の一次分子変化プレートは、このタンクの上部から４フィート６インチの位置で、中心に設置した分子変化プレートとタンクの基部との間で、このロッドに固着される。この中心ロッドに装着されるプレートの実際の数および位置は、このようなタンクが二次材料で満たされるレベルに依存している。固形円板１３２の代わりに、分子変化ビーズ１４０を保持する１枚以上のメッシュ状の円板容器１３８が使用できる。このタンクには、上部一次分子変化円板までおよびその上のレベルで、二次材料が導入される。
【００６０】
例えば、処理を受ける二次材料が水であるとき、この分子変化工程の有効性を評価する簡単な手段として、その工程の終点を決定するのを助けるために、この貯蔵タンクの排出弁では、ｐＨメーターが装着できるか、またはｐＨ測定用に、このタンクから、水試料を引き出すことができる。
【００６１】
この試料のｐＨは、この工程の開始時に測るべきであり、ｐＨ変化の推定値は、一定間隔で書き留めるべきであり、この間隔は、１時間毎であるほど頻繁であるか、８時間ごととであるほど稀であり得る。この試料のｐＨレベルの上昇は、この二次分子変化工程が効果的に実行されていることを示している。これらのｐＨ読み取り値は、アルカリ性となり、すなわち、ｐＨ８．０〜９．０の範囲以上の数値に上昇する。
【００６２】
処理を受ける二次材料が水であるときに、分子変化の進行を評価するために実行できる他の比較的に簡単な試験は、そのレドックス電位の変化を測定することである。水の精製および含量の他のさらに精巧な推定および検定は、このタンクから取り出した試料で、使用できる。
【００６３】
クランクハンドル１２６は、二次材料で円運動が発生するように、手動で、または動力により、いずれかで回転され、それにより、二次材料と分子変化円板との間で、表面接触が高まる。この円板の周囲にパドルまたはベーン１６０が存在していることは、水の運動を起こして維持するのを助ける。もし、このクランクハンドルを回転するのに、動力が利用できるなら、これは、約１時間のゆっくりした回転数で作動でき、１時間の休止期間後、再び開始できる。１時間のオンおよび１時間のオフというこのデューティサイクルは、二次材料が処理を受けている全期間にわたって、継続できる。もし、このクランクハンドルが手動で回転されるなら、これらの操作システムに便利な間隔で、回転できる。
【００６４】
上記寸法の貯蔵タンク内での二次材料の分子変化を誘発するのに必要な時間は、約１２時間であるが、この時間間隔は、重要ではない。このタンクは、好都合なときに二次材料で満たすことができ、１２時間経過後に任意の時点で空にする用意ができている。二次材料の十分な分子変化が起こったと推定されたとき、このような材料は、この貯蔵タンクから排出され、同じ方法で分子変化する他の量の未処理二次材料で置き換えられる。
【００６５】
分子変化させるさらに多くの二次材料を加える前に、この貯蔵タンクを完全に空にする必要はない。何が「十分な分子変化」を成すかは、二次材料の性質、および二次材料を使用する目的に依存している。
【００６６】
分子変化フィルター２００を使用するべきである。これらの分子変化フィルターは、以下で記述されており、この貯蔵タンクに入いる材料の供給源１６８、および貯蔵タンクから出ていく材料の供給源１７０、またはそれらの両方に設置されるべきである。
【００６７】
図４は、分子変化フィルター２００を図示している。フィルター２００は、本体２０２を含み、これは、長さ約２４インチおよび直径約１２インチの分子変化チューブ２０４により形成され、その対向末端で、実質的に閉じられている。フィルター２００は、一端の中心で入口ノズル２１０を有し、また、他端の中心で出口ノズル２１４を有し、各々は、直径約３インチおよび長さ４インチである。これらのノズルは、二次材料が入ってくる供給源を含むパイプに連結するのに使用され、そして分子変化フィルターに通った後、例えば、先に記述された貯蔵タンク１０２に向かう送出二次変化供給源に連結するのに使用される。局所要件に依存して、異なる直径の入口ノズルおよび出口ノズルが使用できる。
【００６８】
このフィルターの内面と入口ノズル２１０との間には、第一メッシュフィルター２２２（これは、好ましくは、ステンレス鋼から構成される）が配置され、また、このフィルターの内面と出口ノズルとの間には、第二フィルター２２６（これは、好ましくは、ステンレス鋼から構成される）が配置される。入口ノズル２１０とフィルター本体２０２との間、および出口ノズル２１４とフィルター本体２０２との間に配置されたメッシュフィルターは、この分子変化した原材料（例えば、セラミックビーズ）が、この分子変化フィルターの本体から逃げ出すのを防止する。このフィルターの本体は、分子変化原材料（例えば、０．１〜１．５インチで直径が異なるセラミックビーズまたは球体２３６）を含有し詰められている。
【００６９】
この装置および方法は、二次材料を分子変化する商業用のシステムを記述しているものの、規模を小さくした型式は、個人用または家庭用に簡単に使用できる。これは、例えば、住宅内の全ての水道が分子変化した水を供給するように、住宅に入る主要な水道で使用できる。あるいは、個人用途の他の例として、特定の蛇口を通って流れる水を分子的に変化するために、小さい流し台装置が使用できる。この小規模型式を使うと、この装置を出て住宅に入る際に、類似の小規模分子変化フィルターを供給すべきである。最低に見積もっても、例えば、モレキュラーシーブを含有する通常のフィルターを供給すべきであり、そこを通って、この装置から、住宅または特定の蛇口システムのいずれかへと、給水が流れる。
【００７０】
上記分子変化フィルターのさらに他の用途として、このようなフィルターをプールのポンプフィルターの排出側に装着する例が示されている。このような用途により、プールの水は、酸（例えば、塩酸）およびハロゲン化剤（例えば、塩素または臭素）を使用する必要なしに、清浄で比較的に細菌や藻類がない状態に保たれる。このシステムは、プールの大きさとは無関係に、効果的かつ効率的に働く。その配管と接続して使用される分子フィルターノズル２１０および２１４は、そのプールフィルターポンプと関連した大きさにされる。従って、この分子変化フィルターは、このポンプからプールへの排水供給路内に配置される。この分子変化フィルターの本体には、分子変化した原材料（例えば、直径が異なるセラミックビーズまたは球体）が詰められる。２個のメッシュフィルターが使用される。一方は、このフィルターの内面と入口ノズルとの間に設置され、他方は、このフィルターの内面と出口ノズルとの間に設置される。これらは、その入来ノズルおよび排出ノズルの上を直接覆って設置されるか完全に被覆するように、その内面に固着される。これらの鋼鉄メッシュフィルター（これは、入口ノズルおよび出口ノズルとフィルター本体との間に設置されている）は、この分子変化原材料が分子変化フィルターの本体から逃げるのを防止する。
【００７１】
この分子変化フィルターの構成中にて、それは、本発明の一次分子変化誘発装置２０にかけられ、引き続いて、プールの給水に二次分子変化を誘発するのに有効である。同じ技術は、泡風呂および温水浴槽に適用できる。
【００７２】
（実験結果）
本発明者は、この分子変化フィルターの原型を使用して、実験を行った。使用したフィルターは、本発明で上で記述したものよりも精巧であり、以下のプロトコルに従って予め分子変化した原材料として、簡単な金属チューブから成っていた。
【００７３】
この金属チューブ、すなわち、鋼鉄チューブ（これは、約４０ポンドの重量である）を、長さ約７フィートおよび幅２フィートの閉鎖アルミニウムチャンバに収容した。このチューブを、６０Ｈｚで、ＡＣ電圧にかけ、これを、０ボルトから最大約５００ボルトで、４時間にわたって、絶えず勾配を付けた。このチューブを取り囲んで、多数の電磁石を配置してチューブに磁場を供給し、この４時間の期間にわたって、０ガウス〜１５０ガウスで、絶えず勾配を付けた。この４時間の期間にわたって、このチューブを、約３０Ｈｚの振動に晒した。
【００７４】
そのように処理したチューブを、このフィルターポンプからプールに出ていく水流に設置したが、これは、長さ約２４インチおよび直径６インチであった。この金属チューブは、その長さ全体にわたって完全に開いており、含有物を含んでいなかった。
【００７５】
この実験では、大きなプールを使用し、これは、３５フィート×３０フィートの寸法で、その主な領域では、深さが２フィートから６フィートまで変わり、１０フィートの深さで１２フィート×１２フィートの飛び込み領域が付いていた。
【００７６】
この特定のプールを使って、プールの水の汚染度を試験し薬品を加える時点を決定するために、毎日、熱量測定分析（染料試験）を使用した。この分析の結果として、このプールには、使用に適した状態（すなわち、ｐＨ変化が原因の黄変、汚染物質の蓄積、細菌および藻類がない状態）を維持するために、３日ごとに、プールに薬品を加えることが標準的技法であった。
【００７７】
この分子変化フィルターを２日間使用した後、このプールの水は、黄変の徴候としての曇りがなく、また、水のｐＨ変化もなかった。実際、それは、透明できらめいており、絶えず薬品を加えてプールを以前に使用したどの時点よりも、ずっと清浄であった。薬品を加えたときに必然的に起こる目の刺激がないので、また、長時間泳いだときに常に現れる薬品臭がないので、水泳は、ずっと快適であることが判明した。
【００７８】
この実験は、５ヶ月間、継続した。この水の熱量測定分析は、毎日行い、安定なｐＨ、および清浄で汚染のない水質を確認した。そのフィルターポンプ流れシステムに分子変化フィルターを装着した５ヶ月間、プールの水は、この透明できらめくレベルを維持した。これらの結果は、この分子変化フィルターの有効性に関して、明らかで疑問の余地がなかった。
【００７９】
本発明のこの節で記述した分子変化プールフィルターは、上記実験で使用されていたものの改良であるが、少なくとも、上記実験で使用されていたものよりも有効である（それ程で有効ではないとしても）。この分子変化フィルターにセラミックビーズまたは球体を含めると、達成される分子変化の程度が向上する。
【００８０】
（分子変化方法および装置の他の潜在的な用途および利点）
自動車のエンジンで分子変化フィルターを使用すると、効率を高める点で著しい効果があると判明するはずであり、従って、その車両は、出力およびエネルギー効率が高まる。車両で分子変化ガスタンクを使用することもまた、燃料消費を少なくする効果がある。これは、使用効率が高まることから、ディーゼル燃料およびガソリン燃料の両方で当てはまる。この効果は、使用するガソリンの種類または利用する車両の種類とは無関係に、１ガロンあたりの走行マイル数を長くする。上記の両方は、米国のような工業国において、石油副産物の高価格およびガソリンの大量消費を考慮することと大いに関係している。それにより、また、米国または他の国は、以前ほど産油国に頼らなくてもよくなる。
【００８１】
天然ガスラインの分子変化もまた、そのパイプを通るガスに対して類似の効果を有するはずであり、さらに効率的な用法およびコスト削減につながる。
【００８２】
上で適用した技術は、国家全体として、特に、個人に対して、多大な財政上の節約をもたらすという意味である。
【００８３】
二次材料または物質での変化を誘発する際に使用するために、上記方法および装置を使用して、分子変化原材料を製造することは、以下を含めた広い範囲の用途を有し得る：植物または動物（ヒトを含めて）の生体処理装置での原材料の使用、ヘアードライヤーを含めた加熱装置や生体組織を処理するランプ（例えば、サウナでの）での原材料の使用。
【００８４】
前述のことから、本発明の精神および範囲から逸脱することなく、多くの変更および改良が行われ得ることが認められる。本明細書中で説明した特定の装置に関して、何ら限定するとは解釈されず推測すべきでないことが理解できるはずである。本発明は、もちろん、特許請求の範囲により、請求の範囲の範囲内に入るものとして、このような改良の全てを含むと解釈される。
【図面の簡単な説明】
【００８５】
【図１】図１は、本発明の分子変化誘発装置の概略透視図である。
【図２】図２は、本発明の第一実施形態の分子変化誘発装置の概略透視図である。
【図３】図３は、図２の装置の概略平面図である。
【図４】図４は、本発明の分子変化処理装置の概略断片透視図である。
【国際公開パンフレット】
2005508241.tif 000003
2005508241.tif 000004
2005508241.tif 000005
2005508241.tif 000006
2005508241.tif 000007
2005508241.tif 000008
2005508241.tif 000009
2005508241.tif 000010
2005508241.tif 000011
2005508241.tif 000012
2005508241.tif 000013
2005508241.tif 000014
2005508241.tif 000015
2005508241.tif 000016
2005508241.tif 000017
2005508241.tif 000018
2005508241.tif 000019
2005508241.tif 000020
2005508241.tif 000021
2005508241.tif 000022
2005508241.tif 000023
2005508241.tif 000024
2005508241.tif 000025
2005508241.tif 000026
2005508241.tif 000027
2005508241.tif 000028
2005508241.tif 000029
2005508241.tif 000030
2005508241.tif 000031
2005508241.tif 000032
2005508241.tif 000033
2005508241.tif 000034
2005508241.tif 000035
2005508241.tif 000036
2005508241.tif 000037
2005508241.tif 000038
2005508241.tif 000039
2005508241.tif 000040
2005508241.tif 000041
2005508241.tif 000042
2005508241.tif 000043
2005508241.tif 000044
2005508241.tif 000045
【国際調査報告】
2005508241.tif 000046
2005508241.tif 000047